(57)【要約】【課題】積重保管されている紐付き袋体や紐無部材等の部材を１個づつ取り出すための簡便で安価な構造で取扱性がよく既設の自動販売装置にも適用される部材積重保持機構を提供する。【解決手段】紐付き袋体５は柱状体２に基端側を連結されている支持板３上に積重される。柱状体２内には支持板３やその上に積重されている紐付き袋体５を常に上方に押圧するスプリング９が連結される。紐付き袋体５の表面（上面）はスプリング９の作用により常に部材使用者７の手先き８の近傍にくるようにされている。これにより、紐付き袋体５の積重量が変化してもその取り出しが容易にできる。【選択図】図３
2006206072.tif 000002
【特許請求の範囲】
【請求項１】
必要に応じて表面側から取り出される部材を積重状態で保持する部材積重保持機構であって、該機構は、柱状体と、該柱状体に片持ち支持され上面上に前記部材を積重保持する支持板とからなり、前記部材は積重状態においてその表面が前記柱状体に近接して立っている部材使用者の手の届く位置にあることを特徴とする部材積重保持機構。
【請求項２】
前記部材が紐付袋体又は紐無部材からなることを特徴とする請求項１に記載の部材積重保持機構。
【請求項３】
前記支持板が、前記柱状体側に設けられている弾性部材により弾性支持又は保持されることを特徴とする請求項１に記載の部材積重保持機構。
【請求項４】
前記柱状体が、単一又は複数の柱状体又は既設の紐付き袋体自動販売装置における支柱からなることを特徴とする請求項１に記載の部材積重保持機構。
【発明の詳細な説明】
【技術分野】
【０００１】
本発明は、紐付き袋体や紐無しの箱体，本等の部材を積重状態で保持し、その表面側から部材使用者が容易に持ち出しできる簡便構造の部材積重保持機構に関する。
【背景技術】
【０００２】
最近のデパートやスーパマーケット等において、食料品や化粧品や生活雑貨品等の商品を購入する場合には、商品購入者はデパート等の入口に積み上げられている手提げ籠を持って売り場に入り、所望の前記商品を手提げ籠に入れて代金支払い場所に運び代金支払い後に手提げ籠を所定の場所に返却する。また、小額衣類や下着や靴下やハンカチ等の小物類を購入する場合は、入口に備えられている大型の手提げ袋を持って売り場に入り、購入商品を手提げ袋に入れ、代金支払い後に所定の場所に返却する方法が一般に採用されている。しかしながら、手提げ籠の場合は比較的整然と積み上げられており、その着脱収納作業は余り問題がないが、手提げ袋の場合は一般に大型の箱の中に重ねて収納されている場合が多く、その紐が絡んでいて取り出し難い場合が多く、特に数が少なくなると箱の底付近から取り出さねばならず、極めて不便であり、商品購入者に大変な負担をかけている問題点があった。一方、デパートやスーパマーケットの入口付近には有料の紐付き袋体が積重された状態で保管されている装置がある。紐付き袋体の使用者は積重状態の表面側から紐付き袋体を持ち出して使用するようになっている。また、紐付き袋体以外の紐無し袋体、例えば、箱や本等の部材も積重状態で保管され、表面側から持ち出しされるように保管保持されているものもある。このような装置としては従来より各種のものがあるが、簡便で、かつ部材の持ち出しが容易のものは見当らず、「特許文献１」にあるように「自動販売装置」の如きものが殆どである。
【特許文献１】特開２００４−１２６９９５号（図１）
【発明の開示】
【発明が解決しようとする課題】
【０００３】
「特許文献１」の「特開２００４−１２６９９５号」の「下げ紐付き物品の自動販売装置」に類似する自動販売装置の概要外観構造を図９に示す。図示のように、この自動販売装置１００は、装置の主要構成要素を内蔵するケース本体１１と、これと適宜間隔を介して立設して配置される支柱１２と、これ等を支持する台１３等とからなり、支柱１２には紐付き袋体５を係止収納するための紐係止具１４がある。また、紐係止具１４に係止されている紐付き袋体５を保持する保持棒１５が設けられている。また、ケース本体１１の上部には紐付き袋体５の吊り紐６を支柱１２の上方に持ち出し移動させるためのゲート円盤１６が設けられている。紐付き袋体５の持ち出しは紐係止具１４に係止している紐付き袋体５の吊り紐６を手で把持し支柱１２の長手方向に沿って持ち上げ金銭投入によって自由状態となっているゲート円盤１６を介して取り出すことによって行われる。
【０００４】
以上の自動販売装置１００は、紐付き袋体５が有料の場合において効果的のものであるが、全体構造が複雑であり、高価なものとなる。一方、紐付き袋体や紐無部材等の部材はサービス品として無料に配布される場合も多く、この場合には、前記部材の積重保持と、その取り出しが容易にでき、かつ安価に形成されるものが要請される。
【０００５】
本発明は、以上の要請に鑑みて発明されたものであり、部材を安定して積重保持できると共に、その取り出しが容易にでき、かつ安価に形成される部材積重保持機構を提供することを目的とする。
【課題を解決するための手段】
【０００６】
本発明は、以上の目的を達成するために、請求項１の発明は、必要に応じて表面側から取り出される部材を積重状態で保持する部材積重保持機構であって、該機構は、柱状体と、該柱状体に片持ち支持され上面上に前記部材を積重保持する支持板とからなり、前記部材は積重状態においてその表面が前記柱状体に近接して立っている部材使用者の手の届く位置にあることを特徴とする。
【０００７】
また、請求項２の発明は、前記部材が紐付袋体又は紐無部材からなることを特徴とする。
【０００８】
また、請求項３の発明は、前記支持板が、前記柱状体側に設けられている弾性部材により弾性支持又は保持されることを特徴とする。
【０００９】
また、請求項４の発明は、前記柱状体が、単一又は複数の柱状体又は既設の紐付き袋体自動販売装置における支柱からなることを特徴とする。
【発明の効果】
【００１０】
本発明の請求項１の部材積重保持機構によれば、本発明の部材積重保持機構は、柱状体と片持ち支持された支持板上に部材を積重保持する簡便構造のものからなり、かつ積重されている部材の表面が部材使用者の手の届く位置に配置されている構造のため、極めて容易に部材を持ち出すことができる。
【００１１】
また、本発明の請求項２の部材積重保持機構によれば、部材としては紐付き袋体や箱体や本等の如く積重保管され１個づつ持ち出しすることが必要のすべての部材に適用されるため、その利用範囲は広い。
【００１２】
また、本発明の請求項３の部材積重保持機構によれば、部材は弾性部材により弾性支持又は保持されるため、積重状態から部材を取り出しても部材全体が積重状態の位置から上昇し、常にその表面が持ち出し易い位置に移動し、持ち出しの容易化が図れる。
【００１３】
また、本発明の請求項４の部材積重保持機構によれば、柱状体として単一又は複数のものが適用されると共に既設の袋体自動販売装置の支柱にも適用され、その適用範囲は広い。
【発明を実施するための最良の形態】
【００１４】
以下、本発明の部材積重保持機構の実施の形態を図面を参照して詳述する。
【実施例１】
【００１５】
図１（ａ），（ｂ）及び図２（ａ），（ｂ）は本発明の部材積重保持機構の実施例１を示す模式図である。図１（ａ），（ｂ）に示すように、本発明の部材積重保持機構１は、柱状体２と、柱状体２にその基端側を連結して片持ち支持される支持板３とからなる。なお、柱状体２は台４上に立設される。また、本実施例では、支持板２は先端側に向かって下方に傾斜する状態で柱状体２に支持される。また、本実施例では、部材として紐付き袋体５を用いたが、勿論これに限定するものではない。図示のように紐付き袋体５は複数個支持板３上に積重され、図１（ａ）に示すようにその吊り紐６を柱状体２に係止した状態で支持板３上に積重保持される。
【００１６】
紐付き袋体５を使用する部材使用者７は柱状体２に近接して立ち姿勢で持ち出し位置にくるが、その手先き８は積重状態にある紐付き袋体５の表面に届く位置にくるように紐付き袋体５は積重して配置される。
【００１７】
部材使用者７が紐付き袋体５を持ち出す場合の動作を説明する。前記のように部材使用者７の手先き８は積重されている紐付き袋体５の表面（上面）又はそれに近い位置にあるため、部材使用者７は立ち姿勢のままで紐付き袋体５を把持し、柱状体２の長手方向に沿って吊り紐６を移動させることにより容易に持ち出しすることができる。
【００１８】
部材使用者７が次々と紐付き袋体５を持ち出すと支持板３上に積重されている紐付き袋体５の数が次第に減少し、その表面（上面）が立ち姿勢にある部材使用者７の手先き８から遠ざかる。図２（ａ），（ｂ）はこの場合における部材使用者７の取り出し姿勢を示すものである。図示のように部材使用者７は膝や腰をかがめ、手先き８を紐付き袋体５に近づけることができ前記と同様に紐付き袋体５を柱状体２から取り出し持ち出しすることができるが部剤使用者７の膝や腰に負担がかかる。
【実施例２】
【００１９】
図３（ａ），（ｂ）は実施例１の部材積重保持機構１に弾性部材の１つであるスプリング９を用いた場合の部材積重保持機構１ａを示す。図３（ａ）に明示するように、柱状体２の内部にはその長手方向に沿ってスプリング９が内蔵される。このスプリング９はその上端側を柱状体２の頂部に固定すると共に、下端側を支持板３に連結したものからなる。このスプリング９の形状及びそのバネ常数は、図３（ｂ）及び図４（ｂ）に示すように、支持板３上に積重されている紐付き袋体５の表面（上面）が紐付き袋体５の積重量が減少しても常に立ち姿勢にある部材使用者７の手先き８の位置に近接し得る条件のものからなる。
【００２０】
以上の構造により、実施例２の場合の部材積重保持機構１ａでは、実施例１の図２に示すように紐付き袋体５の積重量が減少しても腰をかがめる必要がなく、常に同じ立ち姿勢のままで紐付き袋体５を持ち出すことができる。これにより、持ち出しの場合に無理な姿勢をする必要がなく、取扱性の向上が図れる。
【実施例３】
【００２１】
図５（ａ），（ｂ）は実施例３を示す。この部材積重保持機構１ｂは、実施例２と部材積重保持機構１ａとほぼ同一構造のものからなるが、スプリング９の収納されている柱状体２ｂが実施例２の断面丸型の柱状体２と異なり、断面四角形状のものからなる。これにより、紐付き袋体５の吊り紐６の係止が、実施例２の場合よりやや確実となるが、その他の機能についてはほぼ同一であり重複説明を省略する。なお、断面形状は以上のものに限定するものではない。
【実施例４】
【００２２】
図６（ａ），（ｂ）は部材積重保持機構の実施例４を示す。この部材積重保持機構１ｃはスプリング９ｃの柱状体２内での収納状態が相異するものであり、その他については実施例２とほぼ同一の構造のものからなる。このスプリング９ｃは柱状体２の下方に配置され、その基端側を台４に連結し、上端側を支持板３に押圧するものからなる。このスプリング９ｃにより、支持板３及びこの上に積重される紐付き袋体５は常に上方側に向かって押圧される。この押圧力により、紐付き袋体５の積重量が変化してもその表面（上面）は部材使用者７の手先き８の近傍に配置され紐付き袋体５の取り出し時に膝や腰をかがめる必要がない。なお、この実施例４の柱状体２は実施例２の場合と同じくその断面が丸型であるが、実施例３と同じく四角形状等のものでもよいことは勿論である。
【実施例５】
【００２３】
図７（ａ），（ｂ）は部材積重保持機構の実施例５を示す。この部材積重保持機構１ｄは柱状体２ｄが２本のものからなり、前記実施例２等における紐付き袋体５より大きなサイズの紐付き袋体５ｄに適用される。この紐付き袋体５ｄはこの２本の柱状体２ｄ，２ｄに係止した状態で支持板３ｄ上に積重保持される。この部材積重保持機構１ｄは柱状体２ｄが２本である他は実施例２の部材積重保持機構１ａと同一の構造のものからなる。紐付き袋体５ｄの吊り紐６ｄの柱状体２ｄとの係止の確実性を除き実施例２の部材積重保持機構１ａとほぼ同一の機能を有するものであり、重複説明を省略する。
【実施例６】
【００２４】
図８（ａ），（ｂ）は部材積重保持機構の実施例６を示す。この部材積重保持機構１ｅは図９に示す自動販売装置１００の支柱１２を前記の柱状体２の替りに応用したものであり、紐付き袋体５はこの支柱１２に吊り紐６を係止した状態で保持される。その他の構造については実施例２の部材積重保持機構１ａとほぼ同一である。既設の自動販売装置１００に応用され、従来のものより構造が簡便となり、比較的、安価に、かつ容易に実施され取扱性の向上が図れる。
【実施例７】
【００２５】
図１０（ａ），（ｂ）は部材積重保持機構の実施例７を示す。前記の実施例１乃至６の場合は、部材として紐付き袋体５を使用したが、この実施例の部材積重保持機構１ｆ部材は紐無部材５ｆを積重物として適用した場合の部材積重保持機構１ｆの構造を示す。なお、紐無部材としては任意のものでよいが、この実施例では平板１０を部材５ｇとした場合を示す。台４上に立設される柱状体２には支持板３ｆの基端側が摺動自動に支持され、支持板３ｆ上には平板１０が積重される。柱状体２内のスプリング９はその下端側を支持板３ｆに連結し、支持板３ｆ及び平板１０を上方側に引き上げるべく付勢している。以上の構造により、平板１０の積重量が変化してもその表面（上面）は部材使用者７の手先き８と近傍した位置にあり、前記実施例２等と同じく平板１０の持ち出し時において部材使用者７は腰をかがめることがない。
【００２６】
以上のように、本発明の部材積重保持機構によれば、積重されている部材の取り出し及び持ち出しが容易にできると共に、構造簡便で安価に実施できる効果が上げられる。また、部材積重保持機構の構造としては前記の種々の実施例のものに限定するものではなく、同一の技術的範疇のものが適用されることは勿論である。
【産業上の利用可能性】
【００２７】
前記のように、本発明の部材積重保持機構は紐付き袋体に限らず、積重されて保管され１個づつ持ち出しすることが必要な部材のすべてに適用され、かつその持ち出しのための取扱性がよく、構造簡便であり、以上の目的のためのすべての使用用途に適用され、その利用範囲は広い。
【図面の簡単な説明】
【００２８】
【図１】実施例１の部材積重保持機構の上面図（ａ）及び側面図（ｂ）。
【図２】実施例１の部材積重保持機構の部材（紐付き袋体）の取り出し時の動作を示す上面図（ａ）及び側面図。
【図３】実施例２の部材積重保持機構の上面図（ａ）及び側面図（ｂ）。
【図４】実施例２の部材（紐付き袋体）の取り出し時の動作を示す上面図（ａ）及び側面図（ｂ）。
【図５】実施例３の部材積重保持機構の上面図（ａ）及び側面図（ｂ）。
【図６】実施例４の部材積重保持機構の上面図（ａ）及び側面図（ｂ）。
【図７】実施例５の部材積重保持機構の上面図（ａ）及び側面図（ｂ）。
【図８】自動販売装置に適用される実施例６の部材積重保持機構の上面図（ａ）及び側面図（ｂ）。
【図９】実施例６における自動販売装置の外観構造を示す斜視図。
【図１０】実施例７の部材積重保持機構の上面図（ａ）及び側面図（ｂ）。
【符号の説明】
【００２９】
１      部材積重保持機構
１ａ    部材積重保持機構
１ｂ    部材積重保持機構
１ｃ    部材積重保持機構
１ｄ    部材積重保持機構
１ｅ    部材積重保持機構
１ｆ    部材積重保持機構
２      柱状体
２ｂ    柱状体
２ｄ    柱状体
３      支持板
３ｄ    支持板
３ｆ    支持板
４      台
５      紐付き袋体
５ｄ    紐付き袋体
５ｆ    紐付き袋体
６      吊り紐
６ｄ    吊り紐
７      部材使用者
８      手先き
９      スプリング
９ｃ    スプリング
１０    平板
１１    ケース本体
１２    支柱
１３    台
１４    紐係止具
１５    保持棒
１６    ゲート円盤
１００  自動販売装置
【図１】
2006206072.tif 000003
【図２】
2006206072.tif 000004
【図３】
2006206072.tif 000005
【図４】
2006206072.tif 000006
【図５】
2006206072.tif 000007
【図６】
2006206072.tif 000008
【図７】
2006206072.tif 000009
【図８】
2006206072.tif 000010
【図９】
2006206072.tif 000011
【図１０】
2006206072.tif 000012